(57)【特許請求の範囲】
【請求項１】
往復運動が可能であってセット位置から自己の習性によって作動する往動時にはシャッタ羽根に開き作動を行わせ復動時にはシャッタ羽根に閉じ作動を行わせる開閉部材と、シャッタレリーズ時に往復回動し且つその往復回動量を撮影レンズの設定信号によって制御され得るモータと、前記モータに連動して往復運動する開閉操作部材と、前記開閉部材に対するセット用係止部と一つ以上の開口規制用係止部とを有すると共に更に前記開閉操作部材に係合する係合部を有している係止部材とを備え、前記開閉操作部材は、前記モータへの正方向の通電による往動で前記係合部を操作してセット位置における前記開閉部材の係止を解除し、前記モータへの逆方向の通電による復動で前記開閉部材をセット位置に作動させて前記セット用係止部に係止させ、前記モータの往復回動量に応じ前記開口規制用係止部によって前記開閉部材の往動をその途中で係止し得るようにしたことを特徴とする開口規制機構を備えたカメラ用シャッタ。
【請求項２】
前記開閉操作部材が前記モータの回転子に一体的に取り付けられていることを特徴とする請求項１に記載の開口規制機構を備えたカメラ用シャッタ。
【請求項３】
前記シャッタ羽根の位置検出手段を備え、前記設定信号は該位置検出手段の出力信号を基準にして前記モータの回動量を制御するようにしたことを特徴とする請求項１又は２に記載の開口規制機構を備えたカメラ用シャッタ。
【発明の詳細な説明】
【０００１】
【産業上の利用分野】
本発明は、往復運動してアパーチャの開閉作動を行うシャッタ羽根を備えており、その開口口径を撮影レンズの変倍や距離の設定に連動して自動的に規制するようにした開口規制機構を備えたカメラ用シャッタに関する。
【０００２】
【従来の技術】
近年、レンズシャッタを内蔵したコンパクトカメラにも撮影レンズの変倍装置を備えたものが増えてきた。変倍装置には撮影レンズ系の一部のレンズを光軸方向へ連続的に移動させるものと、レンズ系をテレとワイドで切り換えるものとがあるが、いずれの場合も望遠状態にするとＦ値が変化し且つ描写性能が劣化するため、望遠撮影を行う場合にはレンズ口径を絞り込み、良い画像が得られるようにすることが知られている。また、収差の補正機能を持たせるために距離情報に応じてレンズ口径を絞りこんで撮影するようにすることが知られている。他方、シャッヤの制御技術や感光材料の進歩に伴い、従来のように独立した絞り機構を設けず、シャッタ羽根に口径規制を行わせるようにしたレンズシャッタも数多く実現している。
【０００３】
このような状況から、撮影レンズに変倍装置を採用したカメラにおいて、望遠撮影を行うに際し、シャッタ羽根に開口口径を規制させるようにしたものが特開平２−２５４４２８号公報，特開平２−２５４４３１号公報で提案されている。そして、それらの提案においては、シャッタ装置が略円形の外形形状をした基板上に配置されており、またズーム環が該基板の円周に沿って配置されており、シャッタ羽根の開閉部材は、ズーム環に形成された規制カムによって、又はズーム環に形成されたカムによって位置制御される該基板上の規制カムによって、その開き方向への作動量が制御され、シャッタ羽根の開口口径を規制するようにしている。
【０００４】
【発明が解決しようとする課題】
しかしながら、上記した二つの提案の構成は、ズーム環とシャッタの基板との間を相対的に移動させるようにしているため、両者間には隙間を設ける必要がある。そのため、設計上漏光に対する配慮が必要となり、また必要な遮光手段を施すことによってコストアップになるという問題がある。更に、ズーム環にはシャッタの基板中心（即ち、光軸中心）に向かって高低差のあるカムを形成することから、ズーム環の内径を大きくしなければならないか、基板上のシャッタ構成の設計に制約を受けてしまうという問題がある。このように、両者とも構成が複雑であり、コンパクトカメラ用としての小型且つ低価格なシャッタとしては些か問題である。
【０００５】
本発明は、このような問題点を解決するためになされたものであり、その目的とするところは、上記した従来例のように連続的に開口規制を行うのではなく、撮影レンズの所定の設定情報に応じてステップ的に一つ以上の開口規制を行うようにした、構成が簡単で、小型化且つ低価格化に適する開口規制機構を備えたカメラ用シャッタを提供することである。
【０００６】
【課題を解決するための手段】
上記の目的を達成するために、本発明におけるカメラ用シャッタは、往復運動が可能であってセット位置から自己の習性によって作動する往動時にはシャッタ羽根に開き作動を行わせ復動時にはシャッタ羽根に閉じ作動を行わせる開閉部材と、シャッタレリーズ時に往復回動し且つその往復回動量を撮影レンズの設定信号によって制御され得るモータと、前記モータに連動して往復運動する開閉操作部材と、前記開閉部材に対するセット用係止部と一つ以上の開口規制用係止部とを有すると共に更に前記開閉操作部材に係合する係合部を有している係止部材とを備え、前記開閉操作部材は、前記モータへの正方向の通電による往動で前記係合部を操作してセット位置における前記開閉部材の係止を解除し、前記モータへの逆方向の通電による復動で前記開閉部材をセット位置に作動させて前記セット用係止部に係止させ、前記モータの往復回動量に応じ前記開口規制用係止部によって前記開閉部材の往動をその途中で係止し得るようにしている。
【０００７】
また、本発明におけるカメラ用シャッタは、好ましくは、前記開閉操作部材が前記モータの回転子に一体的に取り付けられているようにする。
更に、本発明におけるカメラ用シャッタは、好ましくは、前記シャッタ羽根の位置検出手段を備え、前記設定信号は該位置検出手段の出力信号を基準にして前記モータの回動量を制御するようにする。
【０００８】
【作用】
シャッタのセット位置、即ちシャッタ羽根がアパーチャを閉じている初期位置においては、開閉部材は自己の作動習性に抗して係止部材の第１係止部に係止されている。変倍装置が標準撮影領域に調整されている場合には、シャッタをレリーズすると、モータに連動して開閉操作部材が往動し、該第１係止部による開閉部材の係止を解除し、係止部材を開閉部材の作動軌跡外へ動かす。そのため、開閉部材は自己の作動習性によってシャッタ羽根をアパーチャを全開するまで作動させる。その後、モータが逆方向へ動かされると、開閉操作部材は開閉部材をその作動習性に抗して復動させ、シャッタ羽根にアパーチャを閉じさせる。開閉部材は、初期位置に復帰すると係止部材の第１係止部に係止される。
【０００９】
変倍装置が望遠撮影領域に調整されている場合には、シャッタをレリーズすると、モータに連動して開閉操作部材が往動し、該第１係止部による開閉部材の係止を解除する。しかし、この場合には変倍装置からの変倍信号によってモータの作動量が少ないので、係止部材は開閉部材の作動軌跡外へ完全に動かされず、第２係止部が開閉部材の作動軌跡内に臨んでいる。そのため、開閉部材は、シャッタ羽根がアパーチャを全開する前に該第２係止部に係止され、口径規制が行われる。その後、モータが逆方向へ動かされると、開閉操作部材は開閉部材をその作動習性に抗して復動させ、シャッタ羽根にアパーチャを閉じさせ、初期位置で該第１係止部に係止される。このことから分かるように、係止部材の係止部数を増やし、モータの回動量をより多段階に制御するようにすることもできる。
【００１０】
【実施例】
本発明の実施例を図１乃至図４を用いて説明する。図１は本実施例のシャッタの初期状態を示す平面図であり、図２はシャッタ羽根の全開状態を示す平面図であり、図３はシャッタ羽根の開口規制状態を示す平面図である。図４は本実施例の各部の作動関係を示すタイムチャートである。
【００１１】
先ず、図１を用いて本実施例の構成を説明する。シャッタ地板１にはアパーチャ１ａが形成されている。このシャッタ地板１の背面には、図示していないが平面的に視て略同一形状をしたカバー板が配置されており、シャッタ地板１とそのカバー板との間に周知の羽根室が構成されている。羽根室内には２枚のシャッタ羽根が配置されているが、図面の都合上１枚のシャッタ羽根２のみが示されている。
【００１２】
シャッタ地板１の表面側に植設された軸１ｂには開閉部材３が回転可能に取り付けられており、バネ４によって左旋習性が付与されている。この開閉部材３の一方の腕部３ａは、他方の腕部３ｂよりも図面上、手前側に厚く形成されており、側面に係合部３ｃが、先端にフック部３ｄが設けられている。腕部３ｂの背面側にはピン３ｅが植設されており、このピン３ｅはシャッタ地板１に形成された長孔１ｃを貫通し、シャッタ羽根２の長孔２ａに嵌合している。
【００１３】
シャッタ羽根２は、シャッタ地板１の背面側に植設された軸１ｄに回転可能に取り付けられているため、開閉部材３が左旋するとシャッタ羽根２は軸１ｄにおいて右旋し、開閉部材３が右旋するとシャッタ羽根２は左旋するようになっている。図示していないもう１枚のシャッタ羽根は、周知のようにアパーチャ１ａの中心（光軸）とピン３ｅを結ぶ線に対して略対称的に配置されており、その作動も略対称的に行われるため、上記した開閉部材３の左旋により２枚のシャッタ羽根はアパーチャ１ａを開口し、右旋により閉鎖するようになっている。
【００１４】
シャッタ地板１の表面側に植設された軸１ｅには係止部材５が回転可能に取り付けられており、バネ６によって右旋習性が付与されている。この係止部材５には、開閉部材３のフック部３ｄに係合し開閉部材３の左旋を係止する二つの係止部５ａ，５ｂが設けられ、また、図面上、手前側に厚く形成され、その側面に係合部５ｃが設けられている。
【００１５】
図面上、分かり難くなるため一点鎖線で簡略的に示しているが、シャッタ地板１の表面側には、開閉部材３や係止部材５の作動に支障が生じないようにしてモータ７が取り付けられている。モータ７には永久磁石を有する回転子７ａが備えられており、コイル７ｂに正方向に通電すると軸７ｃにおいてその通電中右旋し、逆方向に通電するとその通電中左旋するようになっている。
【００１６】
回転子７ａと共に回動するように、該回転子７ａに一体化されて作動ピン８が設けられている。このようなモータの構成、特に作動ピン８と回転子７ａとの一体化構成については周知であり、例えば実開平５−９０４６０号公報等に示されている。この作動ピン８は、図１において軸７ｃで回動するが、この回動において作動ピン８は開閉部材３とは係合部３ｃのみで係合し、係止部材５とは係合部５ｃのみで係合するように、その先端の長さが決められている。
【００１７】
また、シャッタ地板１の表面側にはフォトリフレクタ９が取り付けられている。このフォトリフレクタ９には発光部９ａと受光部９ｂが設けられ、発光部９ａから出射した光はシャッタ地板１に形成されたスリット１ｆから羽根室に入り、上記したカバー板に形成された反射面で反射され受光部９ｂに入射するようになっている。そのため、シャッタ羽根２の作動中に、その突出部２ｂがスリット１ｆを覆った時、シャッタ羽根２の位置検出信号を出すようになっている。
【００１８】
図４のタイムチャートにおいて、ＩＭ１はコイル７ｂにおける正方向の通電信号を示し、ＩＭ２は逆方向の通電信号を示している。ＰＲはフォトリフレクタ９の出力信号を示し、ＴＡＥはシャッタ羽根の閉じ時期を制御する電気秒時信号を示している。また、Ｚは変倍信号を示し、本実施例においては撮影レンズ系が望遠撮影領域にセットされているときだけ、この信号が発せられるようになされている。Ｓはシャッタ羽根の作動特性曲線であって、ＰＨはピンホール位置を示している。
【００１９】
次に、本実施例の作動を説明する。先ず、撮影に先立って撮影レンズを操作し、撮影画枠を決める。この情報は撮影時に変倍装置を介して図示していない制御回路に伝えられ、図４に示す変倍信号Ｚを発するかどうかが決定する。次に、レリーズボタンを押すと、上記制御回路の電源が閉じて測光回路を働かせると共に図４に示すようにＩＭ１の信号を出し、図１においてコイル７ｂに正方向の電流を供給する。そのため、回転子７ａは軸７ｃで右旋する。
【００２０】
回転子７ａが右旋すると、同時に作動ピン８も右旋する。作動ピン８はその右旋によって係合部５ｃを押し係止部材５をバネ６に抗して左旋させる。その結果、係止部５ａによるフック部３ｃの係止が解かれ、開閉部材３はバネ４によって左旋し、ピン３ｅによってシャッタ羽根２に開き作動を行わせる。シャッタ羽根２がピンホールＰＨの位置に達する直前に、その突出部２ｂがスリット１ｆを塞ぐと、フォトリフレクタ９から出力信号が発せられ、それによって電気秒時ＴＡＥのカウントが開始される。
【００２１】
撮影レンズ系が望遠撮影領域にセットされている場合には、上記のようにフォトリフレクタ９から出力信号が発せられると、所定の時間だけ変倍信号Ｚが発せられるが、先ずは、撮影レンズ系が望遠撮影領域にセットされておらず、変倍信号Ｚが発せられない場合について説明する。その場合にはフォトリフレクタ９から出力信号が発せられた後もコイル７ｂに正方向の電流を供給し続けるため、作動ピン８は、係止部５ｂがフック部３ｄの軌跡外に移動するまで係合部５ｃを押し係止部材５を左旋させる。その結果、シャッタ羽根２はアパーチャ１ａを全開させ、その後、図示していないストッパにより図２の位置に停止される。
【００２２】
測光回路によって決められた所定の時間が経過すると、電気秒時ＴＡＥのカウントが終了し、その終了信号によってコイル７ｂに対する正方向の通電が遮断され、代わって信号ＩＭ２によって逆方向の通電が行われる。そのため、回転子７ａは作動ピン８を伴って左旋する。この左旋によって作動ピン８は係合部３ｃを押し、バネ４に抗して開閉部材３を右旋させ、シャッタ羽根２を閉じさせる。シャッタ羽根２がアパーチャ１ａを閉じた直後にフォトリフレクタ９から出力信号が発せられると、所定時間後にカメラの電源が開くが、その電源が開く前に開閉部材３は図１の初期位置より僅かにオーバーランした位置に達しており、電源が開きコイル７ｂへの通電が断たれると、開閉部材３はバネ４によって僅かに左旋され、その結果、フック部３ｄが係止部材５の係止部５ａに係止されて図１の初期状態となる。
【００２３】
次に、撮影レンズ系が望遠撮影領域にセットされている場合について説明する。その場合には、上記したように図４に示す変倍信号Ｚを発し得るようになっている。従って、レリーズボタンを押したあと、上記のようにしてシャッタ羽根２が開き作動を行い、その途中で突出部２ｂがスリット１ｆを塞ぎ、フォトリフレクタ９から出力信号が発せられると、それに伴って電気秒時ＴＡＥのカウントが開始されると同時に変倍信号Ｚが発生する。
【００２４】
所定時間後に変倍信号Ｚが断たれると、図４に破線で示したように、コイル７ｂへの通電信号ＩＭ１も断たれ、回転子７ａの右旋が停止し、作動ピン８も停止する。この時、係止部材５の係止部５ｂは未だフック部３ｄの作動軌跡内にあるため、開閉部材３の左旋はフック部３ｄが係止部５ｂに係止されることによって停止する。その停止状態が図３に示されている。この図には、正式には図示していないものの、もう１枚のシャッタ羽根の開口規制縁２´のみが一点鎖線で示されている。このようにして、撮影レンズ系が望遠撮影領域にセットされている場合には露光開口がアパーチャ１ａよりも小さくなるように規制される。以後の作動は上記した場合と同じなので、重複を避けるためにその説明を省略する。
【００２５】
尚、上記の実施例においては、変倍信号Ｚがフォトリフレクタ９の出力信号ＰＲによって発生するようにしているが、その発生時期は信号ＩＭ１の発生時期と同じにしても差し支えなく、特に限定されるものではない。このことは電気秒時信号ＴＡＥの発生時期についても同様である。また、開口規制は変倍信号Ｚによらず、距離信号によって行うようにしてもよいことは言うまでもない。更に、上記の実施例においては、開口規制用係止部として一つの係止部５ｂのみを設けたが、この係止部の数を増やすことによって２段階以上の開口規制を行うようにすることも可能である。更に、上記の実施例においては、本発明における開閉操作部材としての作動ピン８がモータ７の回転子７ａに一体化されているが、これを別体部品とし作動上連動するようにしても差し支えない。そのようにすることによって、モータ７の配置の自由度が大きくなる。
【００２６】
【発明の効果】
上記のように、本発明は、モータの往復回動量を撮影レンズの設定信号によって制御できるようにし、また係止部材に、開閉部材に対するセット用係止部とは別に一つ以上の開口規制用係止部を設けるようにしたものであるから、構成が極めて簡単であって部品点数も少なくて済み、開口規制機構を備えたコンパクトカメラ用シャッタとして極めて有効である。
【図面の簡単な説明】
【図１】シャッタ羽根の初期状態を示す実施例の平面図である。
【図２】シャッタ羽根の全開状態を示す実施例の平面図である。
【図３】シャッタ羽根の開口規制状態を示す実施例の平面図である。
【図４】実施例の作動を示すタイムチャートである。
【符号の説明】
１                          シャッタ地板
１ａ                        アパーチャ
１ｆ                        スリット
２                          シャッタ羽根
２ｂ                        突出部
３                          開閉部材
３ｃ，５ｃ                  係合部
３ｄ                        フック部
３ｅ                        ピン
４，６                      バネ
５                          係止部材
５ａ，５ｂ                  係止部
７                          モータ
７ａ                        回転子
７ｂ                        コイル
８                          作動ピン
９                          フォトリフレクタ
【図１】
0003615271.tif 000002
【図２】
0003615271.tif 000003
【図３】
0003615271.tif 000004
【図４】
0003615271.tif 000005